(57)【特許請求の範囲】
【請求項１】
表裏のフィルムがその周縁でシールされてシール線が設けられており、このシール線で囲まれた内部に内容物収容室と注出用ノズルとが配置されているパウチにおいて、
前記シール線が、下部シール線と左右両側部シール線を有しており、かつ、上部に上部シール予定線を有しており、これら下部シール線、左右両側部シール線及び上部シール予定線で囲まれた領域を内容物収容室としており、
左側部シール線の上方がパウチ内側に向けて屈曲して肩部左シール線を構成しており、この左肩部シール線の先端からパウチ左上方の角部に向けて曲線を描いて屈曲してノズル左側部シール線を構成しており、
上部シール予定線より下方の位置に肩部上シール線を有しており、この肩部上シール線の左方先端からパウチ左上方の角部に向けて曲線を描いて屈曲してノズル上側部シール線を構成しており、
これらノズル左側部シール線とノズル側部上左シール線とに挟まれた領域をノズルとしており、
このノズルに、前記ノズル左側部シール線とノズル上側部シール線とを含めて切断する切断予定線が設けられており、
かつ、上部シール予定線の内側端縁と右側部シール線の内側端縁との交点を点Ａとして、この点Ａから肩部上シール線の内側端縁に接する接線を上側接線ｐとし、一方、左側部シール線の内側端縁上の点であって、上部シール予定線の内側端縁と下部シール線の内側端縁との中央に位置する点を点Ｂとし、この点Ｂから肩部左シール線の内側端縁に接する接線を左側接線ｑとして、前記切断予定線が、上側接線ｐと左側接線ｑとの交点ｒを通るか、あるいは交点ｒより内容物収容室に近い位置を通るように配置されていることを特徴とするパウチ。
【請求項２】
ノズル先端を密閉する先端シール線を有することを特徴とする請求項１に記載のパウチ。
【請求項３】
切断予定線に連続して、ノッチが設けられていることを特徴とする請求項１又は２に記載のパウチ。
【発明の詳細な説明】
【技術分野】
【０００１】
本発明は注出用のノズルが設けられているパウチに関する。このパウチは、例えば内容物を消費して空になったボトル等に内容物を詰替えて補充する詰め替え用パウチとして使用できる。
【背景技術】
【０００２】
内容物消費後のボトル等に内容物を補充するため、このボトルに内容物を詰替えるパウチは詰め替え用パウチの名称でよく知られている。このパウチは、一般に、フレキシブルなフィルムを材質とする安価な袋であり、その一部にボトル等の口部に挿入できるノズルを有している。このノズルをボトル等の口部に挿入することにより、内容物をこぼすことなくボトル等に補充できるのである。
【０００３】
このような詰め替え用パウチのうち、もっとも簡単な構造を有するものは、表裏のフィルムを重ね合わせてその周縁にシール線を設けると共に、上部角部にノズルを設けたものである。このノズルも表裏のフィルムのシールによって形成されている。すなわち、細長のノズルを挟んでその両側にシール線を設け、このシール線で挟まれた領域を内容物注出用ノズルとしているのである。なお、通常、ノズルの先端はシールされて密封されており、ここに切断予定線を配置している。このパウチは、切断予定線から切断することにより、ノズルを開口することができるのである。
【０００４】
ところで、このような簡単な構造のパウチにあっては、内容物の詰め替え作業中にノズル両側のフィルムが閉塞することがある。このような閉塞を防ぐため、ノズル両側のフィルムにエンボスを設けたり、あるいはスペーサを配置しているパウチも知られている。
【０００５】
一方、詰め替え作業中で生じる閉塞の位置を検査して、この閉塞位置より内容物収容室に近い位置に前記切断予定線を配置したパウチも知られている（特許文献１）。このパウチにあっては、ノズル両側のシール線が、ノズル先端に近いノズル側部シール線と肩部シール線とで構成されており、このノズル側部シール線の内側端線と肩部シール線の内側端線との中間点同士を結ぶ直線を底辺とし、頂点が直角の三角形を描き、この頂点を前記閉塞位置として、この閉塞位置より内容物収容室に近い位置に前記切断予定線を配置している。そこで、このパウチでは、切断予定線から切断すると前記閉塞位置が切断除去されるため、内容物の詰め替え作業中にノズルが閉塞することがないのである。
【先行技術文献】
【特許文献】
【０００６】
【特許文献１】特開２０００−６９９１号公報
【発明の概要】
【発明が解決しようとする課題】
【０００７】
特許文献１に記載のパウチにおいては、ノズル両側のシール線が、ノズル先端に近いノズル側部シール線と肩部シール線とで構成されており、そのノズル側部シール線の内側端線と肩部シール線の内側端線との中間点を基準として直角三角形を描いているが、このような中間点を特定するためには、ノズル側部シール線の内側端線と肩部シール線の内側端線とがいずれも直線で描かれている必要がある。すなわち、特許文献１のパウチでは、ノズル側部シール線の内側端線と肩部シール線の内側端線とがいずれも直線で構成されており、しかも、その内側端線同士が交差している必要がある。これに反して、ノズル側部シール線の内側端線又は肩部シール線の内側端線が曲線を描いて滑らかに屈曲している場合には中間点を定めることができず、このため、その閉塞位置を探し出すことができないという問題があった。
【０００８】
そこで、本発明は、ノズル両側のシール線を構成するノズル側部シール線と肩部シール線とが曲線を描いて滑らかに屈曲しているパウチであって、しかも、注出作業中に生じるノズルの閉塞が発生しないパウチを提供することを目的とする。
【課題を解決するための手段】
【０００９】
すなわち、請求項１に記載の発明は、表裏のフィルムがその周縁でシールされてシール線が設けられており、このシール線で囲まれた内部に内容物収容室と注出用ノズルとが配置されているパウチにおいて、
前記シール線が、下部シール線と左右両側部シール線を有しており、かつ、上部に上部シール予定線を有しており、これら下部シール線、左右両側部シール線及び上部シール予定線で囲まれた領域を内容物収容室としており、
左側部シール線の上方がパウチ内側に向けて屈曲して肩部左シール線を構成しており、この左肩部シール線の先端からパウチ左上方の角部に向けて曲線を描いて屈曲してノズル左側部シール線を構成しており、
上部シール予定線より下方の位置に肩部上シール線を有しており、この肩部上シール線の左方先端からパウチ左上方の角部に向けて曲線を描いて屈曲してノズル上側部シール線を構成しており、
これらノズル左側部シール線とノズル側部上左シール線とに挟まれた領域をノズルとしており、
このノズルに、前記ノズル左側部シール線とノズル上側部シール線とを含めて切断する切断予定線が設けられており、
かつ、上部シール予定線の内側端縁と右側部シール線の内側端縁との交点を点Ａとして、この点Ａから肩部上シール線の内側端縁に接する接線を上側接線ｐとし、一方、左側部シール線の内側端縁上の点であって、上部シール予定線の内側端縁と下部シール線の内側端縁との中央に位置する点を点Ｂとし、この点Ｂから肩部左シール線の内側端縁に接する接線を左側接線ｑとして、前記切断予定線が、上側接線ｐと左側接線ｑとの交点ｒを通るか、あるいは交点ｒより内容物収容室に近い位置を通るように配置されていることを特徴とするパウチである。
【００１０】
次に、請求項２に記載の発明は、ノズル先端を密閉する先端シール線を有することを特徴とする請求項１に記載のパウチである。
【００１１】
また、請求項３に記載の発明は、切断予定線に連続して、ノッチが設けられていることを特徴とする請求項１又は２に記載のパウチである。
【発明の効果】
【００１２】
本発明においては、ノズル側部シール線の内側端線と肩部シール線の内側端線との中間点を利用することなく、上部シール予定線の内側端縁と右側部シール線の内側端縁との交点Ａ、肩部上シール線の内側端縁、左側部シール線の内側端縁上の点であって、上部シール予定線と下部シール線との中央に位置する点を点Ｂ、肩部左シール線の内側端縁を利用することにより、前記交点ｒを閉塞位置として特定することができる。
【００１３】
このため、ノズル両側のシール線を構成するノズル側部シール線と肩部シール線とが曲線を描いて滑らかに屈曲しているパウチにおいても、その閉塞位置（交点ｒ）を特定することができ、切断予定線がこの閉塞位置（交点ｒ）を通るか、あるいは閉塞位置（交点ｒ）より内容物収容室に近い位置を通るように配置されているため、注出作業中にノズルの閉塞が生じない。
【図面の簡単な説明】
【００１４】
【図１】図１は本発明の具体例の平面説明図である。
【発明を実施するための形態】
【００１５】
本発明のパウチは表裏のフィルムがその周縁でシールされてシール線が設けられており、このシール線で囲まれた内部に内容物収容室と注出用ノズルとが配置されているものである。
【００１６】
表裏のフィルムとしては任意のプラスチックフィルムが使用できる。また、その層構成中にプラスチックフィルムを含む多層構造のフィルムでもよい。また、本発明のパウチは任意の形態であってよい。例えば、四方シール袋、スタンディングパウチ等である。以下、四方シール袋を例として、図面を参照して本発明を説明する。図面の図１はその平面説明図である。
【００１７】
図１に示すように、このパウチ１００は周縁にシール線が設けられている。このシール線は、いずれも、表裏のフィルムを互いにヒートシールして形成されたものである。
【００１８】
このヒートシール線は多数の部分から構成されているが、その一部はパウチ１００の下部に配置された下部シール線ａ１である。また、パウチ１００の右側部には右側部シール線ａ２が配置されており、左側部には左側部シール線ａ３が配置されている。そして、パウチ１００の上部右側はシール線のない上部シール予定線ａ４となっており、この開口部から内容物を充填した後、ヒートシールして上部シール線を形成できるように構成されている。この説明から分かるように、下部シール線ａ１、左右両側部シール線ａ２，ａ３及び上部シール予定線ａ４で囲まれた領域が内容物収容室１である。
【００１９】
注出用ノズル２は、パウチ１００の左上角部に位置している。すなわち、前述の左側部シール線ａ３は、その上方でパウチ内側に向けて屈曲して肩部左シール線ｂ１を構成している。また、この肩部左シール線ｂ１は、その上部、すなわち先端でパウチ左上方の角部に向けて屈曲してノズル左側部シール線ｂ２を構成している。なお、この屈曲部において、このシール線は滑らかな曲線を描いており、シール線の内側端線も滑らかな曲線を描いている。
【００２０】
一方、上部シール予定線ａ４の右側には、上部シール予定線ａ４より下方、すなわち内容物収容室に近い位置に肩部上シール線ｃ１を有している。そして、肩部上シール線ｃ１の左方先端で屈曲して、ここからパウチ左上方の角部に向けてノズル上側部シール線ｃ２が配置されている。なお、この屈曲部においても、このシール線は滑らかな曲線を描いており、シール線の内側端線も滑らかな曲線を描いている。
【００２１】
そして、これらノズル左側部シール線ｂ２とノズル上側部左シール線ｃ２とに挟まれた細長い領域をノズル２としている。
【００２２】
また、ノズル２の先端には先端シール線ｄが配置されており、内容物収容部１の内容物がノズル２から注出しないように構成されている。そして、このノズル２には、ノズル左側部シール線ｂ２とノズル上側部シール線ｃ２とを含めて、ノズル２を横断するように切断予定線３が配置されており、この切断予定線３で切断することにより、ノズル２先端を開口して内容物を注出することができる。なお、この例では、切断の便宜のため、切断予定線３に連続して、ノッチ４が設けられている。切断予定線３はハーフカット線で構成できる。実線状あるいは破線状であってよい。また、この例ではノッチ４としてＶノッチを採用しているが、その他のノッチでもよい。例えばＩノッチである。また、多数の傷痕で構成されるノッチでもよい。
【００２３】
この切断予定線３は、次のような方法で定められた位置に配置されることが重要である。
【００２４】
すなわち、まず、上部シール予定線ａ４の内側端縁と右側部シール線ａ２の内側端縁との交点を点Ａとする。そして、この点Ａを通り、肩部上シール線ｃ１の内側端縁に接する接線を上側接線ｐとする。
【００２５】
一方、左側部シール線ａ２の内側端縁上の点であって、上部シール予定線ａ４の内側端縁と下部シール線ａ１の内側端縁との中央に位置する点を点Ｂとする。そして、この点Ｂを通り、肩部左シール線ｂ１の内側端縁に接する接線を左側接線ｑとする。
【００２６】
このパウチ１００では、注出作業中で閉塞する位置は上側接線ｐと左側接線ｑとの交点ｒで表すことができる。この例では、切断予定線３がこの交点ｒより内容物収容室に近い位置を通るように配置しているため、この切断予定線３から切断すると前記閉塞位置（交点ｒ）が切断除去されるため、内容物の詰め替え作業中にノズルが閉塞することがないのである。
【００２７】
なお、切断予定線３は前記閉塞位置（交点ｒ）を通る位置に配置されていてもよい。この場合でも、詰め替え作業中の閉塞は事実上発生しない。望ましくは、交点ｒより内容物収容室に近い位置を通る切断予定線３である。
【符号の説明】
【００２８】
１００：パウチ
１：内容物収容部    ２：ノズル    ３：切断予定線    ４：ノッチ
ａ１：下部シール線    ａ２：右側部シール線    ａ３：左側部シール線    ａ４：上部シール予定線
ｂ１：肩部左シール線    ｂ２：ノズル左側部シール線
ｃ１：肩部上シール線    ｃ２：ノズル上側部シール線
ｄ：先端シール線
ｒ：閉塞位置
【図１】
0006686422.tif 000002